(57)【要約】【課題】本発明は、改善された端子構造を有する二次電池を提供する。【解決手段】本発明の一実施形態にかかる二次電池は、第１電極、第２電極、および第１電極と第２電極との間のセパレータを含む電極アセンブリと、電極アセンブリが収容されるケースと、ケースの開口を密封するように設けられるキャッププレートと、電極アセンブリの第１電極に結合される第１集電部材と、第１集電部材に結合され、第１固定溝または第１固定突起を含む第１端子と、第１固定突起と結合される第２固定溝または第１固定溝と結合される第２固定突起を含む第２端子と、を含む第１端子アセンブリとを備える。【選択図】図３
2015065149.tif 000002
【特許請求の範囲】
【請求項１】
第１電極、第２電極、および前記第１電極と前記第２電極との間のセパレータを含む電極アセンブリと、
前記電極アセンブリが収容されるケースと、
前記ケースの開口を密封するように設けられるキャッププレートと、
前記電極アセンブリの第１電極に結合される第１集電部材と、
前記第１集電部材に結合され、第１固定溝または第１固定突起を含む第１端子と、前記第１固定突起と結合される第２固定溝または前記第１固定溝と結合される第２固定突起を含む第２端子と、を含む第１端子アセンブリとを備えることを特徴とする二次電池。
【請求項２】
前記第１固定溝は、第１ねじ谷を含み、
前記第２固定突起は、前記第１ねじ谷に結合される第２ねじ山を含むことを特徴とする請求項１に記載の二次電池。
【請求項３】
前記第２固定溝は、第２ねじ谷を含み、
前記第１固定突起は、前記第２ねじ谷に結合される第１ねじ山を含むことを特徴とする請求項１に記載の二次電池。
【請求項４】
前記第１端子と前記第２端子とは、互いに異なる金属からなることを特徴とする請求項１に記載の二次電池。
【請求項５】
前記第１端子アセンブリは、
前記キャッププレートに設けられる第１端子プレートをさらに含み、
前記第１端子と前記第１集電部材とは、同一の金属からなり、
前記第２端子と前記第１端子プレートとは、同一の金属からなることを特徴とする請求項４に記載の二次電池。
【請求項６】
前記第１端子は、銅からなり、
前記第２端子は、アルミニウムからなることを特徴とする請求項５に記載の二次電池。
【請求項７】
前記第１端子と前記第２端子との間に設けられる腐食防止部材をさらに含むことを特徴とする請求項１に記載の二次電池。
【請求項８】
前記腐食防止部材は、
前記第１固定突起または前記第２固定突起にコーティングされて形成されることを特徴とする請求項７に記載の二次電池。
【請求項９】
前記第２電極に結合される第２集電部材と、
前記第２集電部材に結合され、第３固定溝または第３固定突起を含む第３端子、および前記第３固定突起と結合される第４固定溝または前記第３固定溝と結合される第４固定突起を含む第４端子から構成された第２端子アセンブリとをさらに含むことを特徴とする請求項１に記載の二次電池。
【請求項１０】
前記第３固定溝は、第３ねじ谷を含み、
前記第４固定突起は、前記第３ねじ谷に結合される第４ねじ山を含むことを特徴とする請求項９に記載の二次電池。
【請求項１１】
前記第４固定溝は、第４ねじ谷を含み、
前記第３固定突起は、前記第４ねじ谷に結合される第３ねじ山を含むことを特徴とする請求項９に記載の二次電池。
【発明の詳細な説明】
【技術分野】
【０００１】
本発明は、結合工程が改善された端子構造を備える二次電池に関するものである。
【背景技術】
【０００２】
二次電池（ｒｅｃｈａｒｇｅａｂｌｅ  ｂａｔｔｅｒｙ）は、充放電が不可能な一次電池とは異なり、充放電可能な電池である。低容量の二次電池は、携帯電話やノートパソコンおよびビデオカメラのように携帯可能な小型電子機器に用いられ、大容量の電池は、ハイブリッド自動車などのモータ駆動用電源または大容量電力貯蔵装置として用いられている。
【０００３】
最近、高エネルギー密度の、非水電解液を用いた高出力二次電池が開発されており、前記高出力二次電池は、大電力を必要とする機器、例えば、電気自動車などのモータの駆動に使用できるように、複数の二次電池を直列に連結して大容量の電池モジュールとして構成される。このような二次電池は、円筒型や角型などになるとよい。
【０００４】
二次電池は、ケースの内部に設けられ、電流が充電または放電される電極アセンブリと、集電体を介して電極アセンブリと電気的に連結される電極端子とから構成される。
【０００５】
電極端子は、正極端子および負極端子からなり、二次電池のケースの開口を密閉するキャッププレートに結合されて固定される。
【０００６】
ここで、二次電池に用いられる電極端子は、リベットタイプの電極端子およびボルトタイプの電極端子のうちの１つであるとよい。
【０００７】
リベットタイプの電極端子をキャッププレートに固定させるためには、キャッププレートにリベットタイプの電極端子を結合させた後、キャッププレートと接触するリベットタイプの電極端子の一面をリベット処理した後に、溶接しなければならないので、電極端子の結合工程が複雑になるといった問題があった。
【０００８】
互いに異なる物質からなる構造物同士は、摩擦溶接で結合させることが、レーザ溶接で結合させることより、構造物の結合強度などの面で優れていることが知られている。
【０００９】
一方、同一物質からなる構造物同士は、レーザ溶接で結合させることが、摩擦溶接で結合させることより、溶接効率などの面で効果的であることが知られている。
【００１０】
リベットタイプの電極端子とキャッププレートが互いに異なる物質からなる場合に、摩擦溶接の特性上、リベット処理され、キャッププレートに結合された部分に摩擦溶接を実施することは容易でないので、リベット処理された部分はレーザ溶接を実施することが好ましい。
【００１１】
したがって、キャッププレートと結合されるリベットタイプの電極端子の一面に、キャッププレートと同じ物質からなる構造物同士を摩擦溶接で結合させた後、前記構造物をリベット処理し、リベット処理された部分にレーザ溶接を実施する。
【００１２】
その結果、リベットタイプの電極端子とキャッププレートが互いに異なる物質からなる場合には、電極端子をキャッププレートに固定する工程が複雑になるといった問題があった。
【発明の概要】
【発明が解決しようとする課題】
【００１３】
そこで、本発明は、上記の問題を解決するためになされたものであって、その目的は、結合工程を単純化できる構造を有する端子を備える二次電池を提供することである。
【課題を解決するための手段】
【００１４】
本発明の一実施形態にかかる二次電池は、第１電極、第２電極、および第１電極と第２電極との間のセパレータを含む電極アセンブリと、電極アセンブリが収容されるケースと、ケースの開口を密封するように設けられるキャッププレートと、電極アセンブリの第１電極に結合される第１集電部材と、第１集電部材に結合され、第１固定溝または第１固定突起を含む第１端子と、第１固定突起と結合される第２固定溝または第１固定溝と結合される第２固定突起を含む第２端子と、を含む第１端子アセンブリとを備える。
【００１５】
また、第１固定溝は、第１ねじ谷を含むことができ、第２固定突起は、第１ねじ谷に結合される第２ねじ山を含むことができる。
【００１６】
また、第２固定溝は、第２ねじ谷を含むことができ、第１固定突起は、第２ねじ谷に結合される第１ねじ山を含むことができる。
【００１７】
また、第１端子と第２端子とは、互いに異なる金属からなるとよい。
【００１８】
また、第１端子アセンブリは、キャッププレートに設けられる第１端子プレートをさらに含むことができ、第１端子と前記集電部材とは、同一の金属からなるとよく、第２端子と第１端子プレートとは、同一の金属からなるとよい。
【００１９】
また、第１端子は、銅からなるとよく、第２端子は、アルミニウムからなるとよい。
【００２０】
また、第１端子と第２端子との間に設けられる腐食防止部材をさらに含むことができる。
【００２１】
また、腐食防止部材は、第１固定突起または第２固定突起にコーティングされて形成されるとよい。
【００２２】
また、第２電極に結合される第２集電部材と、第２集電部材に結合され、第３固定溝または第３固定突起を含む第３端子、第３固定突起と結合される第４固定溝または第３固定溝と結合される第４固定突起を含む第４端子から構成された第２端子アセンブリとをさらに含むことができる。
【００２３】
また、第３固定溝は、第３ねじ谷を含むことができ、第４固定突起は、第３ねじ谷に結合される第４ねじ山を含むことができる。
【００２４】
また、第４固定溝は、第４ねじ谷を含むことができ、第３固定突起は、第４ねじ谷に結合される第３ねじ山を含むことができる。
【発明の効果】
【００２５】
本発明に係る二次電池によれば、組み立てが簡便で、キャッププレートと容易かつ安定的に結合される構造の端子を有するので、生産性および耐久性が向上できる。
【図面の簡単な説明】
【００２６】
【図１】本発明の第１実施形態にかかる二次電池を示した斜視図である。
【図２】図１におけるＩＩ−ＩＩ線断面図である。
【図３】本発明の第１実施形態にかかる二次電池の分解斜視図である。
【図４】本発明の第１実施形態にかかる二次電池の部分断面図である。
【図５】本発明の第２実施形態にかかる二次電池の部分断面図である。
【図６】本発明の第３実施形態にかかる二次電池の分解斜視図である。
【図７】本発明の第３実施形態にかかる二次電池の部分断面図である。
【発明を実施するための形態】
【００２７】
以下、添付した図面を参照して、本発明の属する技術分野における通常の知識を有する者が容易に実施できるように本発明の実施形態を詳細に説明する。しかし、本発明は、様々な異なる形態で実現可能であり、以下に説明する実施形態に限定されない。
【００２８】
図１は、本発明の第１実施形態にかかる二次電池を示した斜視図であり、図２は、図１におけるＩＩ−ＩＩ線断面図であり、図３は、本発明の第１実施形態にかかる二次電池の分解斜視図である。
【００２９】
図１および図２を参照して説明すれば、本発明の第１実施形態にかかる二次電池１００は、電極アセンブリ１０と、電極アセンブリ１０が内蔵されるケース２５と、電極アセンブリ１０と電気的に連結される第１端子アセンブリ３０および第２端子アセンブリ４０と、キャッププレート２０と、第１および第２下部絶縁部材６０、８０とを含む。
【００３０】
本実施形態にかかる二次電池１００は、例えば、角型のリチウムイオン二次電池である。ただし、本発明がこれに制限されるわけではなく、本発明は、円筒型の二次電池またはリチウムポリマー二次電池などにも適用可能である。
【００３１】
本実施形態にかかる電極アセンブリ１０は、第１電極１１と第２電極１２、およびセパレータ１３を共に巻き取ることによって、ゼリーロール形態となる。
【００３２】
また、本実施形態にかかる電極アセンブリ１０の表面には絶縁テープ１４が貼られ、電極アセンブリ１０をケース２５と絶縁させることができる。
【００３３】
ここで、本実施形態によれば、第１電極１１は負極であり、第２電極１２は正極である。ただし、本発明は、これに限定されず、第１電極１１が正極であり、第２電極１２が負極として活用されてもよい。
【００３４】
第１電極１１と第２電極１２は、集電体に活物質がコーティングされるコーティング部と、集電体に活物質がコーティングされず、ゼリーロール状態でコーティング部の両端にそれぞれ設けられる第１電極無地部１１ａおよび第２電極無地部１２ａとから構成される。
【００３５】
このような電極アセンブリ１０の第１電極無地部１１ａには、第１端子アセンブリ３０が第１集電部材５０を介して電気的に連結され、第２電極無地部１２ａには、第２端子アセンブリ４０が第２集電部材７０を介して電気的に連結される。
【００３６】
また、第１端子アセンブリ３０は、第１下部端子３１（以下、「第１端子」という）と、第１上部端子３２（以下、「第２端子」という）と、第１端子プレート３３と、第１端子絶縁部材３４と、第１端子３１とキャッププレート２０との間に設けられる第１ガスケット３５とを含む。
【００３７】
さらに、第２端子アセンブリ４０は、第２下部端子４１（以下、「第３端子」という）と、第２上部端子４２（以下、「第４端子」という）と、第２端子プレート４３と、第２連結プレート４４と、第３端子４１とキャッププレート２０との間に設けられる第２ガスケット４５とを含む。
【００３８】
ここで、本実施形態にかかる第２連結プレート４４は、導電性物質からなるとよい。
【００３９】
したがって、本実施形態によれば、キャッププレート２０およびケース２５は、第２連結プレート４４を介して第２電極１２と電気的に連結できる。
【００４０】
ただし、本実施形態は、第１端子アセンブリ３０および第２端子アセンブリ４０ともが二次電池１００の構成に使用されることに限定されず、第１端子アセンブリ３０または第２端子アセンブリ４０のうちの１つだけが二次電池１００の構成に使用されることも可能である。
【００４１】
例えば、第１端子アセンブリ３０または第２端子アセンブリ４０のうちの１つは、第１端子３１および第２端子３２と、第３端子４１および第４端子４２から構成されず、リベット型端子またはボルト型端子から構成されてもよい。
【００４２】
したがって、本実施形態にかかる二次電池１００は、第１端子アセンブリ３０または第２端子アセンブリ４０を含むか、第１端子アセンブリ３０および第２端子アセンブリ４０を備えることができる。
【００４３】
図３は、本発明の第１実施形態にかかる二次電池の分解斜視図であり、図４は、本発明の第１実施形態にかかる二次電池の部分断面図である。
【００４４】
図３および図４を参照して説明すれば、本実施形態にかかる第１端子アセンブリ３０の第１端子３１は、第１固定溝３１ａ１が内壁に形成された第１端子柱３１ａと、第１端子柱３１ａの一端の外周から半径方向外向きに突出して形成される第１端子フランジ３１ｂとを含む。
【００４５】
また、本実施形態にかかる第１端子アセンブリ３０の第２端子３２は、第２端子頭３２ａと、第２端子頭３２ａから延びて形成され、第２固定突起３２ｂ１が外壁に形成された第２端子柱３２ｂとを含む。
【００４６】
本実施形態によれば、第２端子３２の第２固定突起３２ｂ１が形成された第２端子柱３２ｂが、第１端子柱３１ａに形成された第１固定溝３１ａ１に挿入され、固定されるとよい。
より詳細には、本実施形態にかかる第１固定溝３１ａ１は、第１ねじ谷を含み、第２固定突起３２ｂ１は、第２ねじ山を含む。
【００４７】
したがって、第２端子３２の第２端子柱３２ｂが第１端子３１の第１固定溝３１ａ１に挿入されると、第１固定溝３１ａ１の第１ねじ谷に第２固定突起３２ｂ１の第２ねじ山がねじ結合されて固定できる。
【００４８】
このとき、第２端子３２の第２端子柱３２ｂは、第１端子プレート３３に形成された第２端子ホール３３ａを通過して、第１端子３１の第１固定溝３１ａ１に挿入され、第２端子３２の第２端子頭３２ａは、第２端子ホール３３ａの周囲に形成された第２端子溝３３ｂに固定される。
【００４９】
ここで、第２端子頭３２ａは、第２端子溝３３ｂに固定された後、第１端子プレート３３にレーザ溶接で結合されるとよい。
【００５０】
したがって、本実施形態によれば、第２端子３２に作用するトルクを調節して第２端子３２と第１端子３１との結合力を調節し、第１端子３１とキャッププレート２０との間に設けられる第１ガスケット３５の圧縮率を調節することによって、第１ガスケット３５のシーリング（ｓｅａｌｉｎｇ）の信頼性を確保することが可能である。
【００５１】
また、本実施形態によれば、第１端子３１と第２端子３２とのねじ結合によって形成される第１端子アセンブリ３０の結合工程が単純化し、且つ第１端子アセンブリ３０のキャッププレート２０への設置が容易になるので、二次電池１００の生産性が向上できる。
【００５２】
本実施形態にかかる第２端子アセンブリ４０の第３端子４１は、第３固定溝４１ａ１が内壁に形成された第３端子柱４１ａと、第３端子柱４１ａの一端の外周から半径方向外向きに突出して形成される第３端子フランジ４１ｂとを含む。
【００５３】
また、本実施形態にかかる第２端子アセンブリ４０の第４端子４２は、第４端子頭４２ａと、第４端子頭４２ａから延びて形成され、第４固定突起４２ｂ１が外壁に形成された第４端子柱４２ｂとを含む。
【００５４】
本実施形態によれば、第４端子４２の第４固定突起４２ｂ１が形成された第４端子柱４２ｂが、第３端子柱４１ａに形成された第３固定溝４１ａ１に挿入され、固定されるとよい。
【００５５】
より詳細には、本実施形態にかかる第３固定溝４１ａ１は、第１ねじ谷を含み、第４固定突起４２ｂ１は、第２ねじ山を含む。
【００５６】
したがって、第４端子４２の第４端子柱４２ｂが第３端子４１の第３固定溝４１ａ１に挿入されると、第３固定溝４１ａ１の第１ねじ谷に第４固定突起４２ｂ１の第２ねじ山がねじ結合されて固定できる。
【００５７】
このとき、第４端子４２の第４端子柱４２ｂは、第２端子プレート４３に形成された第４端子ホール４３ａを通過して第３端子４１の第３固定溝４１ａ１に挿入され、第４端子４２の第２端子頭４２ａは、第４端子ホール４３ａの周囲に形成された第４端子溝４３ｂに固定される。
【００５８】
ここで、第４端子頭４２ａは、第４端子溝４３ｂに固定された後、第２端子プレート４３にレーザ溶接で結合されるとよい。
【００５９】
したがって、本実施形態によれば、第４端子４２に作用するトルクを調節して第４端子４２と第３端子４１との結合力を調節し、第３端子４１とキャッププレート２０との間に設けられる第２ガスケット４５の圧縮率を調節することによって、第２ガスケット４５のシーリング（ｓｅａｌｉｎｇ）の信頼性を確保することが可能である。
【００６０】
また、本実施形態によれば、第３端子４１と第４端子４２とのねじ結合によって形成される第２端子アセンブリ４０の結合工程が単純化し、且つ第２端子アセンブリ４０のキャッププレート２０への設置が容易になるので、二次電池１００の生産性が向上できる。
【００６１】
本実施形態にかかる第１端子アセンブリ３０および第２端子アセンブリ４０の第１端子から第４端子３１、３２、４１、４２の構造は、前記以外の構造を有することもできる。
【００６２】
以下、本発明の他の実施形態にかかる第１および第２端子アセンブリの構造について詳細に説明する。
【００６３】
図５は、本発明の第２実施形態にかかる二次電池の部分断面図である。
【００６４】
本実施形態にかかる二次電池２００は、第１端子アセンブリ３０の第１端子３１および第２端子３２に替えて、第１端子アセンブリ１３０の第１端子１３１および第２端子１３２を有することを除いては、本発明の第１実施形態にかかる二次電池１００と同一の構成からなる。
【００６５】
したがって、以下、本発明の第１実施形態にかかる第１端子アセンブリ３０と同一の構成に関する詳細な説明は省略する。
【００６６】
本実施形態にかかる第１端子アセンブリ１３０の第１端子１３１は、第１固定突起１３１ａ１が外壁に形成された第１端子柱１３１ａと、第１端子柱１３１ａの一端の外周から半径方向外向きに突出して形成される第１端子フランジ１３１ｂとを含む。
【００６７】
また、本実施形態にかかる第１端子アセンブリ１３０の第２端子１３２は、第２端子頭１３２ａと、第２端子頭１３２ａから延びて形成され、内壁に第２固定溝１３２ｂ１が形成された第２端子柱１３２ｂとを含む。
【００６８】
本実施形態によれば、第１端子１３１の第１固定突起１３１ａ１が形成された第１端子柱１３１ａが、第２端子柱１３２ｂに形成された第２固定溝１３２ｂ１に挿入され、固定されるとよい。
【００６９】
より詳細には、本実施形態にかかる第２固定溝１３２ｂ１は、第１ねじ谷を含み、第１固定突起１３１ａ１は、第２ねじ山を含む。
【００７０】
したがって、第１端子１３１の第１端子柱１３１ａが第２端子１３２の第２固定溝１３２ｂ１に挿入されると、第２固定溝１３２ｂ１の第１ねじ谷に第１固定突起１３１ａ１の第２ねじ山がねじ結合されて固定できる。
【００７１】
したがって、本実施形態によれば、第１端子１３１に作用するトルクを調節して第１端子１３１と第２端子１３２との結合力を調節し、第１端子１３１とキャッププレート２０との間に設けられる第１ガスケット３５の圧縮率を調節することによって、第１ガスケット３５のシーリング（ｓｅａｌｉｎｇ）の信頼性を確保することが可能である。
【００７２】
また、本実施形態によれば、第１端子１３１と第２端子１３２とのねじ結合によって作られる第１端子アセンブリ１３０の結合工程が単純化し、且つ第１端子アセンブリ１３０のキャッププレート２０への設置が容易になるので、二次電池１００の生産性が向上できる。
【００７３】
本実施形態では、詳細な説明が省略されたが、第２電極１２に電気的に連結される第２端子アセンブリ（図示せず）は、本実施形態にかかる第１端子アセンブリ１３０または本発明の第１実施形態にかかる第１端子アセンブリ３０と同一の構成からなるとよい。
【００７４】
図６は、本発明の第３実施形態にかかる二次電池の分解斜視図であり、図７は、本発明の第３実施形態にかかる二次電池の部分断面図である。
【００７５】
図６および図７を参照して説明すれば、本実施形態にかかる二次電池３００は、第１端子アセンブリ３０に替えて第１端子アセンブリ２３０を有することを除いては、本発明の第１実施形態にかかる二次電池１００と同一の構成からなる。
【００７６】
したがって、以下、本発明の第１実施形態にかかる二次電池１００と同一の構成に関する詳細な説明は省略する。
【００７７】
本実施形態にかかる第１端子アセンブリ２３０は、第１下部端子２３１（以下、第１端子という）と、第１上部端子２３２（以下、第２端子という）と、第１端子プレート２３３と、第１端子絶縁部材２３４と、第１端子２３１とキャッププレート２０との間に設けられる第１ガスケット２３５および腐食防止部材２３６とを含む。
【００７８】
ここで、本実施形態にかかる第１端子アセンブリ２３０は、腐食防止部材２３６を除いては、本発明の第１実施形態にかかる第１端子アセンブリ３０と同一の構成からなる。
【００７９】
したがって、以下、本発明の第１実施形態にかかる第１端子アセンブリ３０と同一の構成に関する詳細な説明は省略する。
【００８０】
また、本実施形態にかかる第１端子２３１および第２端子２３２は、互いに異なる金属からなることを除いては、本発明の第１実施形態にかかる第１端子３１および第２端子３２と同一の構成からなる。
【００８１】
したがって、以下、本発明の第１実施形態にかかる第１端子３１および第２端子３２と同一の構成に関する詳細な説明は省略する。
本実施形態にかかる第１端子２３１と第１集電部材５０は、同一の金属からなるとよく、第２端子２３２と第１端子プレート２３３は、同一の金属からなるとよい。
【００８２】
より詳細には、本実施形態にかかる第１端子２３１と第１集電部材５０は、銅からなるとよく、第２端子２３２と第１端子プレート２３３は、アルミニウムからなるとよい。
【００８３】
本実施形態にかかる第１端子アセンブリ２３０の第１端子２３１は、第１固定溝２３１ａ１が内壁に形成された第１端子柱２３１ａと、第１端子柱２３１ａの一端の外周から半径方向外向きに突出して形成される第１端子フランジ２３１ｂとを含む。
【００８４】
また、第１端子アセンブリ２３０の第２端子２３２は、第２端子頭２３２ａと、第２端子頭２３２ａから延びて形成され、第２固定突起２３２ｂ１が外壁に形成された第２端子柱２３２ｂとを含む。
【００８５】
本実施形態にかかる腐食防止部材２３６は、絶縁性物質からなり、第１端子２３１の第１固定溝２３１ａ１と第２端子柱２３２ｂの第２固定突起２３２ｂ１との間に設けられる。
【００８６】
より詳細には、本実施形態によれば、腐食防止部材２３６が第１固定溝２３１ａ１に挿入されると、第２端子２３２の第２固定突起２３２ｂ１が形成された第２端子柱２３２ｂが、腐食防止部材２３６を介して、第１端子２３１の第１固定溝２３１ａ１が形成された第１端子柱２３１ａに結合されて固定される。
【００８７】
したがって、本実施形態によれば、腐食防止部材２３６が第１固定溝２３１ａ１と第２固定突起２３２ｂ１との間に設けられるので、異種金属からなる第１端子２３１と第２端子２３２との接触部分に腐食が発生することを防止できる。
【００８８】
また、本実施形態によれば、第２端子２３２に作用するトルクを調節して第２端子２３２と第１端子２３１との結合力を調節し、第１端子２３１とキャッププレート２０との間に設けられる第１ガスケット２３５の圧縮率を調節することによって、第１ガスケット２３５のシーリング（ｓｅａｌｉｎｇ）の信頼性を確保することが可能である。
【００８９】
さらに、本実施形態によれば、異種金属からなる第１端子２３１と第２端子２３２とを摩擦溶接で結合させるのではなく、ねじ結合によって結合させるので、第１端子アセンブリ２３０の結合工程が単純化し、二次電池３００の生産性が向上できる。
【００９０】
また、第１端子アセンブリ２３０の第２端子２３２および第１端子プレート２３３は、同一物質からなるので、第２端子２３２を第１端子２３１に固定させた後、第２端子２３２の第２端子頭２３２ａを第１端子プレート２３３にレーザ溶接で結合させ、第１端子アセンブリ２３０がキャッププレート２０に安定的に固定されるようにすることができる。
【００９１】
ただし、本実施形態にかかる第１端子アセンブリ２３０の第１端子２３１および第２端子２３２の構造は、前記記述されたこと以外にも他の構造を有することができる。
【００９２】
例えば、本実施形態の他の変形例によれば、第１端子アセンブリは、第１固定突起が形成された第１端子柱を含む第１端子と、第１端子の第１固定突起および腐食防止部材が結合される第２固定溝が形成された第２端子柱を含む第２端子とからなってもよい。
【００９３】
ただし、本実施形態にかかる第２端子アセンブリ（図示せず）は、本発明の第１実施形態にかかる第１端子アセンブリ３０と同一の構成からなることに限定されず、本発明の第２実施形態にかかる第１端子アセンブリ１３０と同一の構成からなってもよい。
【００９４】
以上、本発明の好ましい実施形態について説明したが、本発明は、これに限定されるものではなく、特許請求の範囲と発明の詳細な説明および添付した図面の範囲内で多様に変形して実施することが可能であり、これも本発明の範囲に属することは当然である。
【符号の説明】
【００９５】
１００、２００、３００：二次電池
１０：電極アセンブリ
１１：第１電極  １２：第２電極
１３：セパレータ
２０：キャッププレート
２５：ケース
３０、１３０、２３０：第１端子アセンブリ
３１、１３１、２３１：第１端子
３２、１３２、２３２：第２端子
３１ａ、１３１ａ、２３１ａ：第１端子柱
３１ａ１、２３１ａ１：第１固定溝
３１ｂ、１３１ｂ、２３１ｂ：第１端子フランジ
３２ｂ、１３２ｂ、２３２ｂ：第２端子柱
１３２ｂ１：第２固定溝
１３１ａ１：第１固定突起
３２ｂ１、２３２ｂ１：第２固定突起
４０、１４０、２４０：第２端子アセンブリ
４１：第３端子  ４２：第４端子
４１ａ：第３端子柱
４１ａ１：第３固定溝
４１ｂ：第３端子フランジ  ５０：第１集電部材
６０：第１下部絶縁部材
７０：第２集電部材
８０：第２下部絶縁部材
【図１】
2015065149.tif 000003
【図２】
2015065149.tif 000004
【図３】
2015065149.tif 000005
【図４】
2015065149.tif 000006
【図５】
2015065149.tif 000007
【図６】
2015065149.tif 000008
【図７】
2015065149.tif 000009